(57)【要約】  従来よりも簡単な操作でユーザ所望の番組の録画もしくは予約を実行できるようにする。表示装置にて何れかのチャンネルの放送番組を視聴しているときに、ユーザが、裏番組表表示を指示すると（Ｓ１）。表示装置は、そのときに放送されている裏番組、を一覧にして表示させる（Ｓ２）。この状態で、ユーザがリモコンのカーソルボタンを押して（Ｓ３）カーソル位置を変更し（Ｓ４）、録画ボタン４５を押下することで（Ｓ５）、カーソル位置の番組の録画を開始させることができる（Ｓ６）。
2011004830.tif 000002
【特許請求の範囲】
【請求項１】
入力映像を表示する表示部と、該表示部の表示を制御する表示制御部と、放送信号を受信する放送信号受信部と、該放送信号受信部で受信した放送信号を録画する録画部と、該録画部に対する放送信号の録画を制御する録画制御部と、ユーザによる操作入力を受け付ける操作入力部とを備えた表示装置であって、
前記表示制御部は、放送信号受信部で受信した放送信号による番組を前記表示部で表示しているときに、前記操作入力部に対する操作入力に応じて、前記表示部で表示している番組の裏番組情報を一覧にして前記表示部に表示させ、
前記録画制御部は、前記操作入力部に対する操作入力に従って、前記一覧した裏番組情報から特定の裏番組が選択され、録画が指示されたときに、前記選択された裏番組を前記録画部に録画することを特徴とする表示装置。
【請求項２】
入力映像を表示する表示部と、該表示部の表示を制御する表示制御部と、放送信号を受信する放送信号受信部と、該放送信号受信部で受信した放送信号を録画する録画部と、該録画部に対する放送信号の録画を制御する録画制御部と、ユーザによる操作入力を受け付ける操作入力部と、前記操作入力部に対する操作入力に従って前記放送信号の録画が開始された際に該放送信号の番組情報を記録する番組情報記録部と、録画頻度の高い番組情報を記録する高頻度番組情報記録手段と、を備えた表示装置であって、
前記録画制御部は、前記放送信号の録画が開示された際に、録画を開始した放送信号の番組情報と、前記番組情報記録部に記録されている番組情報とを比較し、所定の条件に従って前記番組情報が一致したものと判定したときに、前記録画を開始した放送信号の番組情報を前記高頻度番組情報記録部に記録し、
前記操作入力部に対する操作入力に従って、前記表示装置で表示している選局番組が変更されたときに、前記表示制御部は、選局後の番組の番組情報と、前記高頻度番組情報記録部に記録した番組情報とを比較し、所定の条件に従って前記番組情報が一致したと判定したときに、選局後の番組が、高頻度で録画が行われている番組であることを示す表示画面を前記表示部に表示させることを特徴とする表示装置。
【請求項３】
請求項２に記載の表示装置において、前記番組情報は、デジタル放送のサービス情報として提供される、番組タイトル情報、番組内容情報、ジャンル情報のいずれかまたは複数であることを特徴とする表示装置。
【請求項４】
請求項２に記載の表示装置において、前記番組情報は、前記表示装置と通信可能な記録媒体を再生して得られる、番組タイトル情報、番組内容情報、ジャンル情報のいずれかまたは複数であることを特徴とする表示装置。
【請求項５】
入力映像を表示する表示部と、該表示部の表示を制御する表示制御部と、放送信号を受信する放送信号受信部と、該放送信号受信部で受信した放送信号を録画する録画部と、該録画部に対する放送信号の録画を制御する録画制御部と、ユーザによる操作入力を受け付ける操作入力部と、を備えた表示装置であって、
前記表示制御部は、放送番組の電子番組表情報を取得して前記表示部に表示させるとともに、前記操作入力部に対する操作入力に従って、前記表示部に表示させた電子番組表から複数の番組を選択し、該選択した番組を一覧にして表示させ、
前記録画制御部は、前記操作入力部に対する操作入力に従って、前記一覧にした番組の選択と、選択した番組の録画を実行することを特徴とする表示装置。
【請求項６】
請求項５に記載の表示装置において、前記選択した番組を一覧にする表示は、選択した番組を選択順に並び替えて番組リストとして表示するものであることを特徴とする表示装置。
【請求項７】
請求項６に記載の表示装置において、前記表示制御部は、前記電子番組表情報と、前記選択した番組を並び替えた番組リストとを、同時に表示させることを特徴とする表示装置。
【請求項８】
請求項５に記載の表示装置において、前記録画制御部は、電子番組表から選択した複数の番組の録画予約を自動的に実行することを特徴とする表示装置。
【請求項９】
請求項８に記載の表示装置において、前記録画制御部は、前記録画予約した番組を順番に録画する制御を行うことを特徴とする表示装置。
【請求項１０】
入力映像を表示する表示部と、該表示部の表示を制御する表示制御部と、放送信号を受信する放送信号受信部と、該放送信号受信部で受信した放送信号を録画する録画部と、該録画部に対する放送信号の録画を制御する録画制御部と、ユーザによる操作入力を受け付ける操作入力部と、を備えた表示装置であって、
前記録画部は、録画を行うための記録媒体を装脱可能な機構を有し、
前記録画制御部は、前記録画部に記録媒体が装着された際に、該装着された記録媒体から、該記録媒体にすでに記録されている番組の番組情報を取得して保持しておき、視聴中の番組の番組情報と、前記記録媒体から取得した番組情報とが所定の条件に従って一致したものと判別したときに、前記記録媒体に対する前記視聴中の番組の録画を許可することを特徴とする表示装置。
【請求項１１】
請求項１０に記載の表示装置において、前記番組情報は、デジタル放送のサービス情報として提供される、番組タイトル情報、番組内容情報、ジャンル情報のいずれかまたは複数であることを特徴とする表示装置。
【請求項１２】
入力映像を表示する表示部と、該表示部の表示を制御する表示制御部と、放送信号を受信する放送信号受信部と、該放送信号受信部で受信した放送信号を録画する録画部と、該録画部に対する放送信号の録画を制御する録画制御部と、ユーザによる操作入力を受け付ける操作入力部と、前記表示部に表示させた静止画像から文字認識を行って文字情報を取得する文字情報取得部と、番組の予約録画を可能とする番組情報を蓄積した番組情報記憶部と、を備えた表示装置であって、
前記文字情報取得部は、前記操作入力部に対する操作入力に従って、現在視聴中の番組の静止画像を取得し、該取得した静止画像から該静止画像に含まれる文字情報を取得し、
前記録画制御部は、前記文字情報取得部が取得した文字情報を用いて前記番組情報記憶部を検索し、前記番組情報記憶部に該当する番組情報があれば、該番組情報の番組を予約録画することを特徴とする表示装置。
【請求項１３】
入力映像を表示する表示部と、該表示部の表示を制御する表示制御部と、放送信号を受信する放送信号受信部と、該放送信号受信部で受信した放送信号を録画する録画部と、該録画部に対する放送信号の録画を制御する録画制御部と、ユーザによる操作入力を受け付ける操作入力部とを備えた表示装置により実行する表示方法であって、
前記表示制御部が、放送信号受信部で受信した放送信号による番組を前記表示部で表示しているときに、前記操作入力部に対する操作入力に応じて、前記表示部で表示している番組の裏番組情報を一覧にして前記表示部に表示させるステップと、
前記操作入力部に対する操作入力に従って、前記一覧した裏番組情報から特定の裏番組が選択され、録画が指示されたときに、前記録画制御部が、前記選択された裏番組を前記録画部に録画するステップとを有することを特徴とする表示方法。
【発明の詳細な説明】
【技術分野】
【０００１】
本発明は表示装置及び表示方法、より詳細には、放送信号を受信して表示するとともに、受信した放送信号を録画する機能を備えた表示装置及び表示方法に関する。
【背景技術】
【０００２】
例えば液晶テレビなどの表示装置では、受信した放送信号を録画してこれを再生するための記録再生装置を接続して使用することが一般的である。また、近年では、液晶テレビなどの表示装置の本体に録画機能を備えた録画ユニットを内蔵した構成のものも提供されている。【０００３】
録画対象となる放送番組数としては、その番組数が増加するとともに内容も多様化し、ユーザの好みに合う番組が数多く放映等されるようになっている。そこで多くの番組の中から、ユーザの好みに合った番組を見落とすことなく確実に録画するため、録画予約機能が一般に用いられている。録画予約機能においては、電子番組ガイド（ＥＰＧ：Electronic Program Guide）の情報を放送波等から取得することにより、番組のタイトル等からユーザが予め好みに合う番組を選別して録画予約を行うことが一般に行われている。このときに、ＥＰＧに含まれるキーワードやジャンルを検索してユーザの好みに合う番組を自動的に録画する技術も知られている（例えば特許文献１参照）。さらに、過去に録画した番組と共通のキーワードやＩＤを含む番組を自動的に録画する技術も知られている（例えば特許文献２参照）。
【先行技術文献】
【特許文献】
【０００４】
【特許文献１】特開２００５−３１２０２４号公報
【特許文献２】特開２００６−１８００５８号公報
【発明の概要】
【発明が解決しようとする課題】
【０００５】
上記のように、表示装置で受信する多様な番組のなかから録画予約機能を利用して録画予約を行う技術については、各種先行技術が提案され開示されている。
しかしながら、現在放送中の番組をリアルタイムで録画開始したい場合には、ユーザは、その番組を試聴中にリモコン等の録画ボタンを操作して録画を開始させることが一般的である。またこのときに、録画ボタンを操作することで録画開始できる番組は、表示装置で現在表示している番組に限られている。ここで現在表示していない裏番組を録画する場合には、例えば、専用の裏番組表などを表示させ、その裏番組表から所望の番組を選択し、選択した番組の録画を開始させる、等の複数の操作が必要となり、その操作が煩雑であった。【０００６】
また、録画予約を行う場合にも電子番組表を表示させた上で、所望の番組を選択し、選択した番組に対して録画予約を行う等の操作が必要であり、録画予約自体の操作にも煩雑性があった。【０００７】
本発明は、上述のごとき実情に鑑みてなされたもので、受信した放送信号を録画する機能を備えた表示装置において、従来よりも簡単な操作でユーザ所望の番組の録画もしくは予約を実行できるようにした表示装置及び表示方法を提供することを目的とするものである。
【課題を解決するための手段】
【０００８】
上記課題を解決するために、本発明の第１の技術手段は、入力映像を表示する表示部と、該表示部の表示を制御する表示制御部と、放送信号を受信する放送信号受信部と、放送信号受信部で受信した放送信号を録画する録画部と、録画部に対する放送信号の録画を制御する録画制御部と、ユーザによる操作入力を受け付ける操作入力部とを備えた表示装置であって、表示制御部は、放送信号受信部で受信した放送信号による番組を表示部で表示しているときに、操作入力部に対する操作入力に応じて、表示部で表示している番組の裏番組情報を一覧にして表示部に表示させ、録画制御部は、操作入力部に対する操作入力に従って、一覧した裏番組情報から特定の裏番組が選択され、録画が指示されたときに、選択された裏番組を前記録画部に録画することを特徴としたものである。【０００９】
第２の技術手段は、入力映像を表示する表示部と、表示部の表示を制御する表示制御部と、放送信号を受信する放送信号受信部と、放送信号受信部で受信した放送信号を録画する録画部と、録画部に対する放送信号の録画を制御する録画制御部と、ユーザによる操作入力を受け付ける操作入力部と、操作入力部に対する操作入力に従って放送信号の録画が開始された際に放送信号の番組情報を記録する番組情報記録部と、録画頻度の高い番組情報を記録する高頻度番組情報記録手段と、を備えた表示装置であって、録画制御部は、放送信号の録画が開示された際に、録画を開始した放送信号の番組情報と、番組情報記録部に記録されている番組情報とを比較し、所定の条件に従って番組情報が一致したものと判定したときに、録画を開始した放送信号の番組情報を前記高頻度番組情報記録部に記録し、操作入力部に対する操作入力に従って、表示装置で表示している選局番組が変更されたときに、表示制御部は、選局後の番組の番組情報と、高頻度番組情報記録部に記録した番組情報とを比較し、所定の条件に従って番組情報が一致したと判定したときに、選局後の番組が、高頻度で録画が行われている番組であることを示す表示画面を表示部に表示させることを特徴としたものである。【００１０】
第３の技術手段は、第２の技術手段において、番組情報が、デジタル放送のサービス情報として提供される、番組タイトル情報、番組内容情報、ジャンル情報のいずれかまたは複数であることを特徴としたものである。【００１１】
第４の技術手段は、第２の技術手段において、番組情報が、表示装置と通信可能な記録媒体を再生して得られる、番組タイトル情報、番組内容情報、ジャンル情報のいずれかまたは複数であることを特徴としたものである。【００１２】
第５の技術手段は、入力映像を表示する表示部と、表示部の表示を制御する表示制御部と、放送信号を受信する放送信号受信部と、放送信号受信部で受信した放送信号を録画する録画部と、録画部に対する放送信号の録画を制御する録画制御部と、ユーザによる操作入力を受け付ける操作入力部と、を備えた表示装置であって、表示制御部は、放送番組の電子番組表情報を取得して表示部に表示させるとともに、操作入力部に対する操作入力に従って、表示部に表示させた電子番組表から複数の番組を選択し、選択した番組を一覧にして表示させ、録画制御部は、操作入力部に対する操作入力に従って、一覧にした番組の選択と、選択した番組の録画を実行することを特徴としたものである。【００１３】
第６の技術手段は、第５の技術手段において、選択した番組を一覧にする表示が、選択した番組を選択順に並び替えて番組リストとして表示するものであることを特徴としたものである。【００１４】
第７の技術手段は、第６の技術手段において、表示制御部が、電子番組表情報と、選択した番組を並び替えた番組リストとを、同時に表示させることを特徴としたものである。【００１５】
第８の技術手段は、第５の技術手段において、録画制御部は、電子番組表から選択した複数の番組の録画予約を自動的に実行することを特徴としたものである。【００１６】
第９の技術手段は、第８の技術手段において、録画制御部は、録画予約した番組を順番に録画する制御を行うことを特徴としたものである。【００１７】
第１０の技術手段は、入力映像を表示する表示部と、表示部の表示を制御する表示制御部と、放送信号を受信する放送信号受信部と、放送信号受信部で受信した放送信号を録画する録画部と、録画部に対する放送信号の録画を制御する録画制御部と、ユーザによる操作入力を受け付ける操作入力部と、を備えた表示装置であって、録画部は、録画を行うための記録媒体を装脱可能な機構を有し、録画制御部は、録画部に記録媒体が装着された際に、装着された記録媒体から、記録媒体にすでに記録されている番組の番組情報を取得して保持しておき、視聴中の番組の番組情報と、記録媒体から取得した番組情報とが所定の条件に従って一致したものと判別したときに、記録媒体に対する前記視聴中の番組の録画を許可することを特徴としたものである。【００１８】
第１１の技術手段は、第１０の技術手段において、番組情報が、デジタル放送のサービス情報として提供される、番組タイトル情報、番組内容情報、ジャンル情報のいずれかまたは複数であることを特徴としたものである。【００１９】
第１２の技術手段は、入力映像を表示する表示部と、表示部の表示を制御する表示制御部と、放送信号を受信する放送信号受信部と、放送信号受信部で受信した放送信号を録画する録画部と、録画部に対する放送信号の録画を制御する録画制御部と、ユーザによる操作入力を受け付ける操作入力部と、表示部に表示させた静止画像から文字認識を行って文字情報を取得する文字情報取得部と、番組の予約録画を可能とする番組情報を蓄積した番組情報記憶部と、を備えた表示装置であって、文字情報取得部は、操作入力部に対する操作入力に従って、現在視聴中の番組の静止画像を取得し、取得した静止画像から該静止画像に含まれる文字情報を取得し、録画制御部は、文字情報取得部が取得した文字情報を用いて番組情報記憶部を検索し、番組情報記憶部に該当する番組情報があれば、番組情報の番組を予約録画することを特徴としたものである。【００２０】
第１３の技術手段は、入力映像を表示する表示部と、表示部の表示を制御する表示制御部と、放送信号を受信する放送信号受信部と、放送信号受信部で受信した放送信号を録画する録画部と、録画部に対する放送信号の録画を制御する録画制御部と、ユーザによる操作入力を受け付ける操作入力部とを備えた表示装置により実行する表示方法であって、表示制御部が、放送信号受信部で受信した放送信号による番組を表示部で表示しているときに、操作入力部に対する操作入力に応じて、表示部で表示している番組の裏番組情報を一覧にして表示部に表示させるステップと、操作入力部に対する操作入力に従って、一覧した裏番組情報から特定の裏番組が選択され、録画が指示されたときに、録画制御部が、選択された裏番組を録画部に録画するステップとを有することを特徴としたものである。
【発明の効果】
【００２１】
本発明によれば、受信した放送信号を録画する機能を備えた表示装置において、従来よりも簡単な操作でユーザ所望の番組の録画もしくは予約を実行できるようにした表示装置及び表示方法を提供することができる。
【図面の簡単な説明】
【００２２】
【図１】本発明に係る表示装置の一実施形態の概要を説明する図である。
【図２】本発明に係る表示装置の一実施形態における主要な構成を説明するためのブロック図である。
【図３】本発明に係る表示装置における第１の動作制御例を説明するための図である。
【図４】本発明に係る表示装置における第１の動作制御例を説明するための図である。
【図５】本発明に係る表示装置で表示される裏番組表の一例を示す図である。
【図６】本発明に係る表示装置における第２の動作制御例を説明するための図である。
【図７】過去によく録画している番組を選局したときのお知らせ画面の表示例を示す図である。
【図８】本発明に係る表示装置における第３の動作制御例を説明するための図である。
【図９】本発明に係る表示装置における第４の動作制御例を説明するための図である。
【図１０】本発明に係る表示装置における第の動作制御例を説明するための図である。
【発明を実施するための形態】
【００２３】
図１は、本発明に係る表示装置の一実施形態の概要を説明する図である。本実施形態の表示装置１０は、テレビ（ＴＶ）として構成されたもので、さらにそのテレビ内部に録画ユニット部２０を内蔵している。表示装置１０では、アンテナ３０を介して受信した放送信号を録画ユニット部２０に装着された所定の記録媒体に対して録画させることができる。また、録画した放送信号は、適宜再生してテレビ画面に映像表示させることができる。記録媒体としては、例えばＢＤ（Blu−ray Disc）を適用することができるが、ここでは記録媒体の種類を限定するものではなく、ＤＶＤやＣＤなどのディスク型記録媒体、ＵＳＢ（Universal Serial Bus）メモリやＳＤカードなどの各種メモリカード、ＨＤ（Hard Disk）などの固定型記録媒体に記録・再生を行うものであってもよい。以下では、ＢＤを記録媒体として用いる例を説明する。
【００２４】
図２は、本発明に係る表示装置の一実施形態における主要な構成を説明するためのブロック図である。
表示装置１０は、リモコン（ＲＣ）受光部１７を備え、ユーザが操作するリモコン４０から送出されたリモコン信号を受信してＣＰＵ／デコーダ１４に伝送する。ＣＰＵ／デコーダ１４では、リモコン４０から送出されたユーザの指示情報を処理し、周辺デバイスを制御して、表示装置１０における視聴、録画等の機能を実行する制御を行う。
【００２５】
また、本実施形態の表示装置１０は、２つのチューナを搭載したもので、一方は、表示装置１０で放送番組を試聴するために使用する視聴用チューナ１２であって、他方は、放送番組の録画に使用する録画用チューナ１３である。この２つのチューナ１２，１３によって、表示装置で放送信号の視聴を行いながら、同時に録画を行うことが可能となっている。各チューナ１２，１３は、放送信号を選局するチューナ回路、ＩＦ復調回路、ＤＣ−ＤＣコンバータなどの回路を備えたフロントエンド部として構成されたものである。
【００２６】
受信した放送信号を視聴する際には、ＣＰＵ／デコーダ１４は、リモコン４０から送出されたユーザからの指示情報に従って、視聴用チューナ１２を制御し、指示されたチャンネルを選局して復調する。アンテナ入力端子１１に入力し視聴用チューナか１２ら出力された放送信号は、ＣＰＵ／デコーダ１４でデコードされ、ＬＣＤコントローラ１５によってＬＣＤ（液晶ディスプレイ）パネル１６を駆動するための信号に変換され、ＬＣＤパネル１６に表示される。また、音声信号は図示しない音声出力手段によってスピーカから音声出力される。
また、ＣＰＵ／デコーダ１４は、ＬＣＤパネル１６にＯＳＤ（On Screen  Display）表示させるべきＯＳＤ信号を生成し、デコードされた映像信号にＯＳＤ信号を合成してＬＣＤコントローラ１５に出力させることができる。ＯＳＤ表示は、例えば、各種のメニュー表示や裏番組表表示などを行うために使用される。
【００２７】
放送番組の録画を行う場合は、ＣＰＵ／デコーダ１４は、リモコン４０から送出されたユーザからの指示情報に従って、録画用チューナ１３を制御し、指示されたチャンネルを選局して復調する。録画用チューナ１３から出力された放送信号（録画用の音声／映像信号）は、ＣＰＵ／デコーダ１４をスルーして録画ユニット部２０に送られる。録画ユニット部２０では、ＣＰＵ／デコーダ２１によって放送信号をデコードし、ＢＤドライブ２２にてＢＤメディアに録画する。また、録画ユニット部２０では、受信した放送信号をレート変換して録画する場合、圧縮符号化された映像データをトランスコーダによって逆量子化し、量子化ステップを変更して再量子化する、等の処理を行わせるようにしてもよい。
【００２８】
この例では、録画ユニット部２０は、表示装置１０に内蔵されるモジュールとして構成されている。そして、録画ユニット部２０は、表示装置１０のＣＰＵ／デコーダ１４とは別に、録画ユニット部２０のモジュール内にＣＰＵ／デコーダ２１による制御手段を備え、その制御手段により録画コンテンツのデコードを行うような構成をとっている。この場合、表示装置１０に内蔵された録画モジュールであっても、表示装置１０に対する外部接続機器の１つとみなして制御することができる。
【００２９】
また、録画ユニット部２０に装着したＢＤに記録されている録画番組等を再生する場合、ＢＤに記録されている録画番組等のデータをＣＰＵ／デコーダ２１が復号した後、映像データについては映像出力可能な形式の映像信号に変換して、ＣＰＵ／デコーダ１４を介してＬＣＤコントローラ１５に出力し、音声データについては音声出力可能な形式の音声信号に変換して、図示しない音声出力手段に映像と同期させて出力する。
【００３０】
また、表示装置１０では、図示しない入出力Ｉ／Ｆを備えて、録画機器などの外部機器と接続し、外部機器との間で映像・音声ストリームや制御信号を入出力可能とされる。映像・音声ストリームは、例えばＨＤＭＩ（High-Definition Multimedia Interface）やＩＥＥＥ１３９４等の規格に基づくＩ／Ｆにより伝送させることができる。またこの他、Ｄ端子やＳ端子、ピン端子などを適用したＩ／Ｆを用いてもよい。また、外部機器を制御するための制御信号には、ＨＤＭＩ規格やＩＥＥＥ１３９４規格に基づく制御コマンドを用いることができる。このような入出力Ｉ／Ｆを介して入力した映像／音声信号を録画ユニット部２０でＢＤに録画したり、またＢＤに録画されているデータを再生して、入出力Ｉ／Ｆを介して外部機器に出力させることができる。
【００３１】
本発明は、入力映像を表示する表示部と、表示部の表示を制御する表示制御部と、放送信号を受信する放送信号受信部と、放送信号受信部で受信した放送信号を録画する録画部と、録画部に対する放送信号の録画を制御する録画制御部と、ユーザによる操作入力を受け付ける操作入力部とを備えるものであり、図２の構成例において、上記の表示部はＬＣＤパネル１６が該当し、表示制御部は、ＣＰＩ／デコーダ１４及びＬＣＤパネル１６が該当し、放送受信部は視聴用チューナ１２及び録画用チューナ１３が該当する。また、上記の録画制御部は、図２のＣＰＵ／デコーダ２１及びＢＤドライブ２２が該当し、操作入力部は、リモコン４０及びリモコン受光部１７が該当する。
【００３２】
（動作例１）
上記のごとくの構成を備えた表示装置による本発明に係る第１の動作例を説明する。本動作例は、表示装置１０で放送番組を視聴中に、その時放送している裏番組の情報を一覧で表示させ、その表示からユーザ所望の放送番組を選択してリモコンの録画ボタンを操作することで、少ない操作で簡単に所望の放送番組を録画開始できるようにしたものである。
【００３３】
図３は、本発明の表示装置が有するリモコンの操作ボタンの構成例を示す図である。リモコン４０には、メニュー操作等において表示装置１０に表示させたカーソルを移動させるためのカーソルボタン４１、各種の操作を決定するための決定ボタン４２、放送番組を視聴中に裏番組表を表示させるための裏番組ボタン４３，地上デジタル、ＢＳ，ＣＳ等の放送を切り換えるための放送切換ボタン４４、選択された放送番組の録画を開始させるための録画ボタン４５が設けられている。
【００３４】
図４は、本発明に係る表示装置における第１の動作制御例を説明するための図である。まず、表示装置１０にて何れかのチャンネルの放送番組を視聴しているときに、ユーザは、裏番組表表示を指示することができる（ステップＳ１）。裏番組表表示は、リモコン４０の裏番組ボタン４３を押下することで指示することができる。
【００３５】
表示装置１０のＣＰＵ／デコーダ１４は、裏番組ボタン４３の押下による指示情報を受けて、そのときに放送されている裏番組、つまり現在視聴しているチャンネル以外の視聴可能な放送チャンネルの番組を一覧にして表示させる（ステップＳ２）。このときの裏番組表は、放送波から取得できる電子番組表から生成する。また、電子番組表は、放送波からの取得のみならず、インターネット等から取得できるものであってもよい。
【００３６】
図５は、上記ステップＳ２で表示される裏番組表の一例を示す図である。図４に示すように、表示装置でいずれかの放送番組を試聴中に、ユーザがリモコン４０の裏番組ボタン４３を押下すると、図５に示すような裏番組表が表示される。裏番組表には、現在視聴可能な裏番組のチャンネル、サービス名（放送局）、番組名（イベント名）等が一覧で表示され、ユーザは、リモコン４０に備えられたカーソルボタン４１により所望の番組をカーソルによって選択することができる。また、裏番組表を表示中にリモコン４０の放送切換ボタン４４を押下することで、他のネットワークやメディアの裏番組の表示に切り換えることができる。
【００３７】
図４に戻って説明する。ステップＳ２で裏番組表が表示されている状態で、ユーザがリモコン４０のカーソルボタン４１を押下することで（ステップＳ３）、カーソル位置が変更される（ステップＳ４）。ここでは、カーソルは、裏番組表に表示されているいずれかの番組を選択している状態となっていて、カーソルボタンの押下に応じてその選択位置が変更される。
【００３８】
ユーザが所望のチャンネルにカーソルを移動させた状態で、リモコン４０に備えられた録画ボタン４５を押下することで（ステップＳ５）、カーソル位置の番組の録画を開始させることができる（ステップＳ６）。
従来の機能によれば、裏番組表の番組を録画する場合には、特定の放送番組を試聴中に図５に示すような裏番組表１００を表示させ、カーソルボタン４１によってユーザ所望のチャンネルを選択し、さらに決定ボタン４２を押下することで選択した番組に表示が切り換えられる。そして、このときに録画ボタン４５を押下することによって、表示中の番組の録画を開始させることができるようになっていた。これに対して、本発明に係る実施形態では、裏番組表１００を表示させた状態から、番組を選択して録画ボタン４５を押すだけでその番組の録画を開始させることができるようになり、少ない操作で簡単に所望の番組の録画を開始させることができるようになる。
【００３９】
（動作例２）
本動作例では、表示装置１０は、録画が実行されたときに、録画された番組のタイトルや番組内容を記憶保持しておき、表示装置１０で番組選局が行われたときに、その記憶内容を参照し、ユーザが通常よく録画している番組であると判別した場合には、自動的に選局または変更後の番組の録画を開始されるようにしたものである。
【００４０】
図６は、本発明に係る表示装置における第２の動作制御例を説明するための図で、図６（Ａ）は、録画実行時の動作例を説明するための図、図６（Ｂ）は、選局番組が変更されたときの動作例を説明するための図である。
図６（Ａ）において、表示装置１０にて録画実行が指示されると（ステップＳ１１）、表示装置１０では、その録画対象の番組から情報を取得する（ステップＳ１２）。この情報は、ここでは、放送波にサービス情報として含まれる番組タイトル、番組内容情報、及びジャンル情報、またはこれらのいずれかまたは複数であってもよい。また、番組情報は、表示装置１０と通信可能な記録媒体、例えばＢＤやＤＶＤ等の記録媒体、あるいはＨＤ（ハードディスク）やフラッシュメモリ、ＵＳＢメモリ等の記録媒体を再生して得られる番組タイトル、番組内容情報、及びジャンル情報、またはこれらのいずれかまたは複数であってもよい。また、番組情報は、これら番組タイトル、番組内容情報、及びジャンル情報以外の情報を適宜予め定めたものであってもよい。例えば、デジタル放送のサービス情報として提供される番組開始時間、番組終了時間、番組視聴適正情報などを用いてもよい。
【００４１】
表示装置１０は、放送波から取得した上記の情報を、表示装置１０が備えるメモリ等の記憶手段（本発明の番組情報記録部に相当）に記憶して保持するとともに（ステップＳ１３）、すでに記憶手段に記憶されている情報を読み出して（ステップＳ１４）、過去の録画回数をチェックする（ステップＳ１５）。ここでは、今回録画した番組タイトル、番組内容情報、ジャンル情報と、記憶手段に記憶されている番組タイトル、番組内容情報、ジャンル情報とを比較し、これらのいずれかまたは複数が一致した場合には、同じ種類の番組の録画が行われたものと判断し、同じ種類の番組が録画された回数をチェックする。
【００４２】
番組タイトルが一致したか否かの判別に際しては、番組タイトルが完全一致した場合に一致したものと判別してもよく、また一部が一致したときに番組タイトルが一致したものと判別するようにしてもよい。一部一致のときには、所定文字量以上一致したか否かを判別するようにしてもよい。また、番組内容情報についても同様であるが、番組内容情報の場合には、例えば、所定のキーワードが一致したときに番組内容情報が一致したものと判別するようにしてもよい。
【００４３】
ジャンル情報については、特定のジャンルコードによってジャンルが表現されているため、そのジャンルコードの一致を判別すればよい。また、ジャンルコードの大分類と中分類とが一致したときにも、ジャンルコードが一致したものと判別するようにしてもよい。このような所定の判別基準に従って、番組タイトル、番組内容、ジャンルのいずれかまたは複数（これも所定基準に従う）が一致した番組の過去の録画回数をチェックし、所定回数以上、過去に録画されている番組であれば、その番組の情報をメモリ等の記憶手段（本発明の高頻度番組情報記録部に相当）に、よく録画している番組の情報として記憶させる。よく録画している番組の情報としては、番組タイトル、番組内容、ジャンル情報を用いることができる。録画時の処理は、以上で終了する。
【００４４】
次に、選局番組が変更されたときの動作例を図６（Ｂ）を参照しながら説明する。ユーザがリモコン４０を操作して、番組を選局して視聴を開始する操作を行ったり、あるいは視聴中の選局番組を変更する操作を行った場合（ステップＳ２１）、表示装置１０では、記憶手段に記憶させたよく録画している番組情報を参照し（ステップＳ２２）、選局後の番組がよく録画している番組に一致するか否かを判別する（ステップＳ２３）。
【００４５】
選局後の番組と、よく録画している番組が一致しているか否かの判別は、放送波から取得した選局後の番組の番組タイトル、及び番組情報と、選局後の番組の放送波から取得したジャンル情報とを用い、これらを記憶手段のよく録画している番組の情報と比較し、これらが一致している否かを判別することにより行う。また、各情報の一致の可否の判別は、上記ステップＳ１５における一致の判断と同様な基準で行うことができる。
【００４６】
ステップＳ２３で、選局後の番組が過去によく録画している番組であると判別された場合には、表示装置１０のＬＣＤパネル１６に、予め用意されたお知らせ画面を表示させる（ステップＳ２４）。
【００４７】
図７は、過去によく録画している番組を選局したときのお知らせ画面の表示例を示す図である。上記選局時の処理によって、選局後の番組が過去によく録画している番組であると判別された場合には、図７に示すようなお知らせ画面２００を表示させることができる。このお知らせ画面２００には、視聴ユーザに対して、選局番組が普段よく録画されている番組であることを知らせる主旨が含まれる。ユーザは、ここでリモコンの録画ボタン４５を押下することで、選局後の番組の録画を開始させることができる。
このように本動作例によれば、ユーザが普段からよく視聴している番組の情報を記録保持しておき、表示装置１０で選局を行ったときに、選局後の番組がよく視聴している番組であればその旨を表示させることで、ユーザは、よく録画している番組を確実に録画することができるようになる。例えばシリーズものの放送番組などを効率的に録画することができる。
【００４８】
（動作例３）
本動作例では、表示装置は、電子番組表を表示させた状態において、ユーザ操作に従って任意の複数の番組の選択可能とし、選択した番組をユーザ操作に応じて録画開始し、もしくは録画予約することができるようにしている。
図８は、本発明に係る表示装置における第３の動作制御例を説明するための図である。本動作例では、従来主に録画予約に使用されていた電子番組表を使用して、番組を連続して録画するための録画候補番組設定を可能としたものである。この動作を行うために、ユーザは、リモコン４０等の操作入力部に対して所定の操作を行うことで、図８に示すような録画候補番組設定画面２００を表示させることができる。録画候補設定画面２００は、電子番組表表示部２０１と、選択設定部２０２とが設けられている。
【００４９】
電子番組表表示部２０１には、従来と同様の電子番組表を表示させることができる。そしてユーザは、リモコン４０を操作することによって所望の番組を選択し、選択した番組を選択設定部２０２に設定することができる。電子番組表における番組の選択操作については、その手法を限定するものではなく、適宜所定の操作方法を定めておくことができる。
【００５０】
選択設定部２０２には、電子番組表から選択した複数の番組を設定することができる。
これにより、ユーザは、所望の録画候補番組を一覧表の形式で選択設定部２０２にまとめておくことができる。選択設定部２０２の表示は、ユーザが選択した番組を選択順に並び替えて番組リストとして表示したものである。また、録画候補番組設定画面２００には、電子番組表表示部２０１の電子番組表と、上記の並び替えた番組リストを示す選択設定部とが同時に表示される。選択設定部２０２を表示させる際には、例えば、表示させた電子番組表表示部２０２を画面の右側に縮小表示しながら、画面の左側に選択設定部２０２を表示させる。これにより、電子番組表から所望の番組をその都度選択する、という手間を省くことができる。
そして、実際に録画を行う場合、ユーザは、表示装置１０に録画候補設定画面２００を表示させ、選択設定部２０２の所望の番組にカーソル合わせて、録画ボタン４５を押下することで、簡単にその番組の録画を開始させることができる。
【００５１】
また、選択設定部２０２に設定した番組に対して、一括で録画予約を設定することもできる。録画予約の場合も、所定の操作に従って録画予約を可能とするが、例えば、選択設定部２０２にカーソルがあるときに、ユーザが決定ボタン４２を押下すると、録画予約設定画面が表示され、その表示画面によって録画予約を選択して決定することで、選択設定部２０２に設定した番組の録画予約を行うことができるようにすることができる。表示装置１０では、録画予約された番組を順番に録画していく。
【００５２】
上記のような本動作例によって、予め選択設定した番組をまとめて録画することが可能となる。例えば、放送月日、曜日、放送時刻などが異なるシリーズものの番組を１回の予約操作で一括して予約することができる。また、この場合、従来の録画予約と異なり、例えば、選択した番組の総時間から録画の画質(録画レート)を自動設定することができる。この場合、例えばＢＤなどの媒体の容量に基づいて、録画対象となる番組が全て録画できるように、録画レートを自動的に変更する処理を行うようにすることができる。また、複数番組を一番組として扱って録画することが可能となる。ここでは、録画一時停止ボタンなどを利用して、録画中の番組のＣＭをスキップするなどの番組編集をリアルタイムに行うこともできる。
【００５３】
（動作例４）
本動作例では、表示装置１０は、録画が実行されたときに、ＢＤなどの記録媒体にすでに録画された番組情報、例えばタイトルや番組内容、あるいはジャンル情報等が一致するときにのみ、その番組の録画を実行させるようにする。これにより、１つの記録媒体には、同一番組情報の番組のみを集めて録画させることができるようになる。
【００５４】
図９は、本発明に係る表示装置における第４の動作制御例を説明するための図で、図９（Ａ）は、ＢＤなどの記録媒体が挿入されたときの動作例を説明するための図、図９（Ｂ）は、表示装置で選局が行われたときの動作例を説明するための図、図９（Ｃ）は、録画ボタンが押下されたときの動作例を説明するための図である。
【００５５】
図９（Ａ）において、表示装置のドライブ（本実施形態ではＢＤドライブ２２）に対して記録媒体（ここではＢＤとする）が装着された場合（ステップＳ３１）、表示装置１０では、そのＢＤ情報を取得する（ステップＳ３２）。ＢＤ情報とは、ＢＤにすでに記憶されている番組の情報であり、番組タイトルおよび番組内容情報である。表示装置１０がＢＤから取得した番組タイトル及び番組内容情報は、表示装置が備えるメモリ等の記憶手段に記憶保持しておく（ステップＳ３３）。
なお記録媒体から取得する情報として、ここでは、番組タイトル及び番組内容情報とするが、これらのいずれかであってもよく、また、これら以外の情報を適宜予め定めたものであってもよい。例えば、デジタル放送のサービス情報として提供されるジャンル情報、番組開始時間、番組終了時間、番組視聴適正情報などを用いてもよい。
【００５６】
図９（Ｂ）において、ユーザがリモコン４０を操作して、番組を選局して視聴を開始する操作を行ったり、あるいは視聴中の選局番組を変更する操作を行った場合（ステップＳ４１）、表示装置１０では、選局後のＴＶ情報を取得する（ステップＳ４２）。ＴＶ情報とは、放送波のサービス情報に含まれる番組タイトルと番組内容情報である。取得したこれらＴＶ情報は、表示装置１０のメモリ等の記憶手段に記憶保持しておく（ステップＳ４３）。
【００５７】
図９（Ｃ）において、表示装置１０で放送番組を試聴している状態で、ユーザがリモコン４０の録画ボタン４５を押下すると（ステップＳ５１）、表示装置では、記憶手段に記憶してあるＢＤ情報と、その視聴中の番組のＴＶ情報とを比較する（ステップＳ５２）。そしてこれらが一致した場合には録画を実行し（ステップＳ５３）、一致しない場合には、録画を許可しないようにする（ステップＳ５４）。録画を許可しない場合には、その旨をユーザに報知するための表示画面や、他の媒体の挿入をユーザに促す表示画面を表示させるようにしてもよい。
【００５８】
ＢＤ情報とＴＶ情報とが一致したか否かの判別に際しては、番組タイトルが完全一致した場合に一致したものと判別してもよく、また一部が一致したときに番組タイトルが一致したものと判別するようにしてもよい。一部一致のときには、所定文字量以上一致したか否かを判別するようにしてもよい。また、番組内容情報についても同様であるが、番組内容情報の場合には、例えば、所定のキーワードが一致したときに番組内容情報が一致したものと判別するようにしてもよい。
【００５９】
また、ＢＤ情報とＴＶ情報にジャンル情報を用いることで、１つの記録媒体には、同一のジャンルの番組のみを集めて録画させることできる。ジャンル情報の一致を判別す場合、特定のジャンルコードによってジャンルが表現されているため、そのジャンルコードの一致を判別すればよい。また、ジャンルコードの大分類と中分類とが一致したときにも、ジャンルコードが一致したものと判別するようにしてもよい。
【００６０】
このような所定の判別基準に従って、ＢＤに記録したＢＤ情報と選局後の番組のＴＶ情報とが所定条件で一致した場合に、その番組の録画を許可する。このように本動作例によれば、所定の条件に従う番組のみを同一の記録媒体に録画させることができるようになる。
【００６１】
（動作例５）
本動作例は、表示装置１０は、放送番組を視聴中に静止画から認識した文字情報や、視聴中の放送番組の放送波から取得した番組情報を用いて番組データベースを検索し、該当する番組の番組予約を実行できるようにしたものである。
【００６２】
図１０は、本発明に係る表示装置における第の動作制御例を説明するための図である。まず表示装置１０において、番組を試聴中であるものとする（Ｓ６１）。ここでリモコン４０等に対する所定の操作によって、静止画取得情報による予約実行の設定モードに移行させる。そしてユーザは、表示装置１０が備える静止画機能を使用して、所定の操作によって視聴中の番組を静止画表示状態に切り換える（Ｓ６２）。
【００６３】
ここで表示装置１０は、表示中の静止画像に対して文字認識処理を行い、静止画像に表示されている番組名や番組情報を文字情報として取得する。ここでは、例えば、「番組２−１」という画像が文字認識されてその文字情報が取得できる（Ｓ６３）。
静止画像に表示されている文字画像から文字認識を行ってテキストの文字情報を取得する処理は、公知技術を適用することができる。例えば、静止画像データをＯＣＲ（Optical Character Recognition）ソフトウェアでデータ解析して文字情報を得るようにすることができる。
【００６４】
ここでユーザがリモコン４０の録画ボタン４５を押下すると、静止画像の文字認識処理によって得られた文字情報によって、表示装置１０が備えるメモリ等の記憶手段に構成された番組データベースを検索する（Ｓ６４）。
番組データベースは、番組の予約録画を可能とする番組情報を記録した本発明の番組情報記憶部に相当するもので、例えば電子番組表の番組タイトルや番組内容情報、視聴開始時間、視聴終了時間等を番組ごとに記録したものである。そして、静止画像から取得した文字情報でこの番組データベースを検索したときに、その文字情報に合致する情報をもった番組が番組データベースにあれば、その番組について録画予約を自動的に実行する。ここでは「番組２−１」を予約情報として登録し、実際に「番組２−１」が放送されるときに録画を実行させる（Ｓ６５）。これにより、静止画像から取得した文字情報に合致する番組の録画予約を簡単に実行させることができる。
【００６５】
例えば、ユーザは、自身が興味を持つ番組宣伝が放送されているときに、上記のような静止画取得情報による予約実行モードに移行させ、番組名が表示されている画面で静止画像に移行させる操作を行う。これにより、画面に表示されている番組名が文字認識され、番組データベースから目的の番組を検索することができ、検索した番組を予約録画することができる。
【００６６】
また、上記の例では、静止画像の文字認識処理を行って、得られた文字情報を用いて番組データベースの検索を行っているが、視聴中の番組の放送波から取得できる番組名や番組情報、あるいはデータ放送がある場合にはそのデータ放送に含まれる番組情報を使用して、番組データベースを検索するようにしてもよい。この場合、ユーザは、所定の操作によって番組データベースを検索して録画予約を行うモードに移行させた後に、所望のタイミングで録画ボタンを操作することで、そのとき放送波から取得できる番組情報を使用して、番組データベースの検索を行うことができる。また、番組データベースは、表示装置がネットワーク等を介して接続可能な外部機器に設けたものであってもよい。
上記のような本動作例によれば、電子番組表を表示させることなく、録画予約を行うことができるようになる。
【符号の説明】
【００６７】
１０…表示装置、１１…アンテナ入力端子、１２…視聴用チューナ、１３…録画用チューナ、１４…デコーダ、１５…ＬＣＤコントローラ、１６…ＬＣＤパネル、１７…リモコン受光部、２０…録画ユニット部、２１…デコーダ、２２…ＢＤドライブ、３０…アンテナ、４０…リモコン、４１…カーソルボタン、４２…決定ボタン、４３…裏番組ボタン、４４…放送切換ボタン、４５…録画ボタン、１００…裏番組表、２００…録画候補設定画面、２０１…電子番組表表示部、２０２…選択設定部。
【図１】
2011004830.tif 000003
【図２】
2011004830.tif 000004
【図３】
2011004830.tif 000005
【図４】
2011004830.tif 000006
【図５】
2011004830.tif 000007
【図６】
2011004830.tif 000008
【図７】
2011004830.tif 000009
【図８】
2011004830.tif 000010
【図９】
2011004830.tif 000011
【図１０】
2011004830.tif 000012
【手続補正書】
【提出日】平成23年4月13日(2011.4.13)
【手続補正１】
【補正対象書類名】特許請求の範囲
【補正対象項目名】全文
【補正方法】変更
【補正の内容】
【特許請求の範囲】
【請求項１】
入力映像を表示する表示部と、該表示部の表示を制御する表示制御部と、放送信号を受信する放送信号受信部と、該放送信号受信部で受信した放送信号を録画する録画部と、該録画部に対する放送信号の録画を制御する録画制御部と、ユーザによる操作入力を受け付ける操作入力部と、前記操作入力部に対する操作入力に従って前記放送信号の録画が開始された際に該放送信号の番組情報を記録する番組情報記録部と、録画頻度の高い番組情報を記録する高頻度番組情報記録手段と、を備えた表示装置であって、
前記録画制御部は、前記放送信号の録画が開示された際に、録画を開始した放送信号の番組情報と、前記番組情報記録部に記録されている番組情報とを比較し、所定の条件に従って前記番組情報が一致したものと判定したときに、前記録画を開始した放送信号の番組情報を前記高頻度番組情報記録部に記録し、
前記操作入力部に対する操作入力に従って、前記表示装置で表示している選局番組が変更されたときに、前記表示制御部は、選局後の番組の番組情報と、前記高頻度番組情報記録部に記録した番組情報とを比較し、所定の条件に従って前記番組情報が一致したと判定したときに、選局後の番組が、高頻度で録画が行われている番組であることを示す表示画面を前記表示部に表示させることを特徴とする表示装置。
【請求項２】
請求項１に記載の表示装置において、前記番組情報は、デジタル放送のサービス情報として提供される、番組タイトル情報、番組内容情報、ジャンル情報のいずれかまたは複数であることを特徴とする表示装置。
【請求項３】
請求項１に記載の表示装置において、前記番組情報は、前記表示装置と通信可能な記録媒体を再生して得られる、番組タイトル情報、番組内容情報、ジャンル情報のいずれかまたは複数であることを特徴とする表示装置。
【請求項４】
入力映像を表示する表示部と、該表示部の表示を制御する表示制御部と、放送信号を受信する放送信号受信部と、該放送信号受信部で受信した放送信号を録画する録画部と、該録画部に対する放送信号の録画を制御する録画制御部と、ユーザによる操作入力を受け付ける操作入力部と、を備えた表示装置であって、
前記表示制御部は、放送番組の電子番組表情報を取得して前記表示部に表示させるとともに、前記操作入力部に対する操作入力に従って、前記表示部に表示させた電子番組表から複数の番組を選択し、該選択した番組を一覧にして表示させ、
前記録画制御部は、前記操作入力部に対する操作入力に従って、前記一覧にした番組の選択と、選択した番組の録画を実行することを特徴とする表示装置。
【請求項５】
請求項４に記載の表示装置において、前記選択した番組を一覧にする表示は、選択した番組を選択順に並び替えて番組リストとして表示するものであることを特徴とする表示装置。
【請求項６】
請求項５に記載の表示装置において、前記表示制御部は、前記電子番組表情報と、前記選択した番組を並び替えた番組リストとを、同時に表示させることを特徴とする表示装置。
【請求項７】
請求項４に記載の表示装置において、前記録画制御部は、電子番組表から選択した複数の番組の録画予約を自動的に実行することを特徴とする表示装置。
【請求項８】
請求項７に記載の表示装置において、前記録画制御部は、前記録画予約した番組を順番に録画する制御を行うことを特徴とする表示装置。
【請求項９】
入力映像を表示する表示部と、該表示部の表示を制御する表示制御部と、放送信号を受信する放送信号受信部と、該放送信号受信部で受信した放送信号を録画する録画部と、該録画部に対する放送信号の録画を制御する録画制御部と、ユーザによる操作入力を受け付ける操作入力部と、を備えた表示装置であって、
前記録画部は、録画を行うための記録媒体を装脱可能な機構を有し、
前記録画制御部は、前記録画部に記録媒体が装着された際に、該装着された記録媒体から、該記録媒体にすでに記録されている番組の番組情報を取得して保持しておき、視聴中の番組の番組情報と、前記記録媒体から取得した番組情報とが所定の条件に従って一致したものと判別したときに、前記記録媒体に対する前記視聴中の番組の録画を許可することを特徴とする表示装置。
【請求項１０】
請求項９に記載の表示装置において、前記番組情報は、デジタル放送のサービス情報として提供される、番組タイトル情報、番組内容情報、ジャンル情報のいずれかまたは複数であることを特徴とする表示装置。
【請求項１１】
入力映像を表示する表示部と、該表示部の表示を制御する表示制御部と、放送信号を受信する放送信号受信部と、該放送信号受信部で受信した放送信号を録画する録画部と、該録画部に対する放送信号の録画を制御する録画制御部と、ユーザによる操作入力を受け付ける操作入力部と、前記表示部に表示させた静止画像から文字認識を行って文字情報を取得する文字情報取得部と、番組の予約録画を可能とする番組情報を蓄積した番組情報記憶部と、を備えた表示装置であって、
前記文字情報取得部は、前記操作入力部に対する操作入力に従って、現在視聴中の番組の静止画像を取得し、該取得した静止画像から該静止画像に含まれる文字情報を取得し、
前記録画制御部は、前記文字情報取得部が取得した文字情報を用いて前記番組情報記憶部を検索し、前記番組情報記憶部に該当する番組情報があれば、該番組情報の番組を予約録画することを特徴とする表示装置。
【手続補正２】
【補正対象書類名】明細書
【補正対象項目名】０００２
【補正方法】変更
【補正の内容】
【０００２】
発明が解決しようとする課題
［０００５］
上記のように、表示装置で受信する多様な番組のなかから録画予約機能を利用して録画予約を行う技術については、各種先行技術が提案され開示されている。
しかしながら、現在放送中の番組をリアルタイムで録画開始したい場合には、ユーザは、その番組を試聴中にリモコン等の録画ボタンを操作して録画を開始させることが一般的である。またこのときに、録画ボタンを操作することで録画開始できる番組は、表示装置で現在表示している番組に限られている。ここで現在表示していない裏番組を録画する場合には、例えば、専用の裏番組表などを表示させ、その裏番組表から所望の番組を選択し、選択した番組の録画を開始させる、等の複数の操作が必要となり、その操作が煩雑であった。
［０００６］
また、録画予約を行う場合にも電子番組表を表示させた上で、所望の番組を選択し、選択した番組に対して録画予約を行う等の操作が必要であり、録画予約自体の操作にも煩雑性があった。
［０００７］
本発明は、上述のごとき実情に鑑みてなされたもので、受信した放送信号を録画する機能を備えた表示装置において、従来よりも簡単な操作でユーザ所望の番組の録画もしくは予約を実行できるようにした表示装置及び表示方法を提供することを目的とするものである。
課題を解決するための手段
［０００８］
【手続補正３】
【補正対象書類名】明細書
【補正対象項目名】０００３
【補正方法】変更
【補正の内容】
【０００３】
［０００９］
上記課題を解決するために、本発明の第１の技術手段は、入力映像を表示する表示部と、表示部の表示を制御する表示制御部と、放送信号を受信する放送信号受信部と、放送信号受信部で受信した放送信号を録画する録画部と、録画部に対する放送信号の録画を制御する録画制御部と、ユーザによる操作入力を受け付ける操作入力部と、操作入力部に対する操作入力に従って放送信号の録画が開始された際に放送信号の番組情報を記録する番組情報記録部と、録画頻度の高い番組情報を記録する高頻度番組情報記録手段と、を備えた表示装置であって、録画制御部は、放送信号の録画が開示された際に、録画を開始した放送信号の番組情報と、番組情報記録部に記録されている番組情報とを比較し、所定の条件に従って番組情報が一致したものと判定したときに、録画を開始した放送信号の番組情報を前記高頻度番組情報記録部に記録し、操作入力部に対する操作入力に従って、表示装置で表示している選局番組が変更されたときに、表示制御部は、選局後の番組の番組情報と、高頻度番組情報記録部に記録した番組情報とを比較し、所定の条件に従って番組情報が一致したと判定したときに、選局後の番組が、高頻度で録画が行われている番組であることを示す表示画面を表示部に表示させることを特徴としたものである。
［００１０］
第２の技術手段は、第１の技術手段において、番組情報が、デジタル放送のサービス情報として提供される、番組タイトル情報、番組内容情報、ジャンル情報のいずれかまたは複数であることを特徴としたものである。
［００１１］
第３の技術手段は、第１の技術手段において、番組情報が、表示装置と通信可能な記録媒体を再生して得られる、番組タイトル情報、番組内容情報、ジャンル情報のいずれかまたは複数であることを特徴としたものである。
［００１２］
第４の技術手段は、入力映像を表示する表示部と、表示部の表示を制御する表示制御部と、放送信号を受信する放送信号受信部と、放送信号受信部で受信した放送信号を録画する録画部と、録画部に対する放送信号の録画を制
【手続補正４】
【補正対象書類名】明細書
【補正対象項目名】０００４
【補正方法】変更
【補正の内容】
【０００４】
御する録画制御部と、ユーザによる操作入力を受け付ける操作入力部と、を備えた表示装置であって、表示制御部は、放送番組の電子番組表情報を取得して表示部に表示させるとともに、操作入力部に対する操作入力に従って、表示部に表示させた電子番組表から複数の番組を選択し、選択した番組を一覧にして表示させ、録画制御部は、操作入力部に対する操作入力に従って、一覧にした番組の選択と、選択した番組の録画を実行することを特徴としたものである。
［００１３］
第５の技術手段は、第４の技術手段において、選択した番組を一覧にする表示が、選択した番組を選択順に並び替えて番組リストとして表示するものであることを特徴としたものである。
［００１４］
第６の技術手段は、第５の技術手段において、表示制御部が、電子番組表情報と、選択した番組を並び替えた番組リストとを、同時に表示させることを特徴としたものである。
［００１５］
第７の技術手段は、第４の技術手段において、録画制御部は、電子番組表から選択した複数の番組の録画予約を自動的に実行することを特徴としたものである。
［００１６］
第８の技術手段は、第７の技術手段において、録画制御部は、録画予約した番組を順番に録画する制御を行うことを特徴としたものである。
［００１７］
第９の技術手段は、入力映像を表示する表示部と、表示部の表示を制御する表示制御部と、放送信号を受信する放送信号受信部と、放送信号受信部で受信した放送信号を録画する録画部と、録画部に対する放送信号の録画を制御する録画制御部と、ユーザによる操作入力を受け付ける操作入力部と、を備えた表示装置であって、録画部は、録画を行うための記録媒体を装脱可能な機構を有し、録画制御部は、録画部に記録媒体が装着された際に、装着された記録媒体から、記録媒体にすでに記録されている番組の番組情報を取得して保持しておき、視聴中の番組の番組情報と、記録媒体から取得した番組情報とが所定の条件に従って一致したものと判別したときに、記録媒体に対する前記視聴中の番組の録画を許可することを特徴としたものである。
【手続補正５】
【補正対象書類名】明細書
【補正対象項目名】０００５
【補正方法】変更
【補正の内容】
【０００５】
［００１８］
第１０の技術手段は、第９の技術手段において、番組情報が、デジタル放送のサービス情報として提供される、番組タイトル情報、番組内容情報、ジャンル情報のいずれかまたは複数であることを特徴としたものである。
［００１９］
第１１の技術手段は、入力映像を表示する表示部と、表示部の表示を制御する表示制御部と、放送信号を受信する放送信号受信部と、放送信号受信部で受信した放送信号を録画する録画部と、録画部に対する放送信号の録画を制御する録画制御部と、ユーザによる操作入力を受け付ける操作入力部と、表示部に表示させた静止画像から文字認識を行って文字情報を取得する文字情報取得部と、番組の予約録画を可能とする番組情報を蓄積した番組情報記憶部と、を備えた表示装置であって、文字情報取得部は、操作入力部に対する操作入力に従って、現在視聴中の番組の静止画像を取得し、取得した静止画像から該静止画像に含まれる文字情報を取得し、録画制御部は、文字情報取得部が取得した文字情報を用いて番組情報記憶部を検索し、番組情報記憶部に該当する番組情報があれば、番組情報の番組を予約録画することを特徴としたものである。
［００２０］
発明の効果
［００２１］
本発明によれば、受信した放送信号を録画する機能を備えた表示装置にお
【手続補正６】
【補正対象書類名】明細書
【補正対象項目名】０００９
【補正方法】変更
【補正の内容】
【０００９】
［００３０］
また、表示装置１０では、図示しない入出力Ｉ／Ｆを備えて、録画機器などの外部機器と接続し、外部機器との間で映像・音声ストリームや制御信号を入出力可能とされる。映像・音声ストリームは、例えばＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）やＩＥＥＥ１３９４等の規格に基づくＩ／Ｆにより伝送させることができる。またこの他、Ｄ端子やＳ端子、ピン端子などを適用したＩ／Ｆを用いてもよい。また、外部機器を制御するための制御信号には、ＨＤＭＩ規格やＩＥＥＥ１３９４規格に基づく制御コマンドを用いることができる。このような入出力Ｉ／Ｆを介して入力した映像／音声信号を録画ユニット部２０でＢＤに録画したり、またＢＤに録画されているデータを再生して、入出力Ｉ／Ｆを介して外部機器に出力させることができる。
［００３１］
本発明は、入力映像を表示する表示部と、表示部の表示を制御する表示制御部と、放送信号を受信する放送信号受信部と、放送信号受信部で受信した放送信号を録画する録画部と、録画部に対する放送信号の録画を制御する録画制御部と、ユーザによる操作入力を受け付ける操作入力部とを備えるものであり、図２の構成例において、上記の表示部はＬＣＤパネル１６が該当し、表示制御部は、ＣＰＩ／デコーダ１４及びＬＣＤパネル１６が該当し、放送受信部は視聴用チューナ１２及び録画用チューナ１３が該当する。また、上記の録画制御部は、図２のＣＰＵ／デコーダ２１及びＢＤドライブ２２が該当し、操作入力部は、リモコン４０及びリモコン受光部１７が該当する。
［００３２］
（動作例１）
上記のごとくの構成を備えた表示装置による第１の動作例を説明する。本動作例は、表示装置１０で放送番組を視聴中に、その時放送している裏番組の情報を一覧で表示させ、その表示からユーザ所望の放送番組を選択してリモコンの録画ボタンを操作することで、少ない操作で簡単に所望の放送番組を録画開始できるようにしたものである。
［００３３］
図３は、本発明の表示装置が有するリモコンの操作ボタンの構成例を示す図である。リモコン４０には、メニュー操作等において表示装置１０に表示
【手続補正７】
【補正対象書類名】明細書
【補正対象項目名】００１０
【補正方法】変更
【補正の内容】
【００１０】
させたカーソルを移動させるためのカーソルボタン４１、各種の操作を決定するための決定ボタン４２、放送番組を視聴中に裏番組表を表示させるための裏番組ボタン４３，地上デジタル、ＢＳ，ＣＳ等の放送を切り換えるための放送切換ボタン４４、選択された放送番組の録画を開始させるための録画ボタン４５が設けられている。
［００３４］
図４は、第１の動作制御例を説明するための図である。まず、表示装置１０にて何れかのチャンネルの放送番組を視聴しているときに、ユーザは、裏番組表表示を指示することができる（ステップＳ１）。裏番組表表示は、リモコン４０の裏番組ボタン４３を押下することで指示することができる。
［００３５］
表示装置１０のＣＰＵ／デコーダ１４は、裏番組ボタン４３の押下による指示情報を受けて、そのときに放送されている裏番組、つまり現在視聴しているチャンネル以外の視聴可能な放送チャンネルの番組を一覧にして表示させる（ステップＳ２）。このときの裏番組表は、放送波から取得できる電子番組表から生成する。また、電子番組表は、放送波からの取得のみならず、インターネット等から取得できるものであってもよい。
［００３６］
図５は、上記ステップＳ２で表示される裏番組表の一例を示す図である。図４に示すように、表示装置でいずれかの放送番組を試聴中に、ユーザがリモコン４０の裏番組ボタン４３を押下すると、図５に示すような裏番組表が表示される。裏番組表には、現在視聴可能な裏番組のチャンネル、サービス名（放送局）、番組名（イベント名）等が一覧で表示され、ユーザは、リモコン４０に備えられたカーソルボタン４１により所望の番組をカーソルによって選択することができる。また、裏番組表を表示中にリモコン４０の放送切換ボタン４４を押下することで、他のネットワークやメディアの裏番組の表示に切り換えることができる。
［００３６］
図４に戻って説明する。ステップＳ２で裏番組表が表示されている状態で、ユーザがリモコン４０のカーソルボタン４１を押下することで（ステップＳ３）、カーソル位置が変更される（ステップＳ４）。ここでは、カーソル
【手続補正８】
【補正対象書類名】明細書
【補正対象項目名】００１１
【補正方法】変更
【補正の内容】
【００１１】
は、裏番組表に表示されているいずれかの番組を選択している状態となっていて、カーソルボタンの押下に応じてその選択位置が変更される。
［００３８］
ユーザが所望のチャンネルにカーソルを移動させた状態で、リモコン４０に備えられた録画ボタン４５を押下することで（ステップＳ５）、カーソル位置の番組の録画を開始させることができる（ステップＳ６）。
従来の機能によれば、裏番組表の番組を録画する場合には、特定の放送番組を試聴中に図５に示すような裏番組表１００を表示させ、カーソルボタン４１によってユーザ所望のチャンネルを選択し、さらに決定ボタン４２を押下することで選択した番組に表示が切り換えられる。そして、このときに録画ボタン４５を押下することによって、表示中の番組の録画を開始させることができるようになっていた。これに対して、本動作例では、裏番組表１００を表示させた状態から、番組を選択して録画ボタン４５を押すだけでその番組の録画を開始させることができるようになり、少ない操作で簡単に所望の番組の録画を開始させることができるようになる。
［００３９］
（動作例２）
本動作例では、表示装置１０は、録画が実行されたときに、録画された番組のタイトルや番組内容を記憶保持しておき、表示装置１０で番組選局が行われたときに、その記憶内容を参照し、ユーザが通常よく録画している番組であると判別した場合には、自動的に選局または変更後の番組の録画を開始されるようにしたものである。
［００４０］
図６は、本発明に係る表示装置における第２の動作制御例を説明するための図で、図６（Ａ）は、録画実行時の動作例を説明するための図、図６（Ｂ）は、選局番組が変更されたときの動作例を説明するための図である。
図６（Ａ）において、表示装置１０にて録画実行が指示されると（ステップＳ１１）、表示装置１０では、その録画対象の番組から情報を取得する（ステップＳ１２）。この情報は、ここでは、放送波にサービス情報として含まれる番組タイトル、番組内容情報、及びジャンル情報、またはこれらのいずれかまたは複数であってもよい。また、番組情報は、表示装置１０と通信
【手続補正書】
【提出日】平成23年12月27日(2011.12.27)
【手続補正１】
【補正対象書類名】特許請求の範囲
【補正対象項目名】全文
【補正方法】変更
【補正の内容】
【特許請求の範囲】
【請求項１】
入力映像を表示する表示部と、該表示部の表示を制御する表示制御部と、放送信号を受信する放送信号受信部と、該放送信号受信部で受信した放送信号を録画する録画部と、該録画部に対する放送信号の録画を制御する録画制御部と、ユーザによる操作入力を受け付ける操作入力部と、前記操作入力部に対する操作入力に従って前記放送信号の録画が開始された際に該放送信号の番組情報を記録する番組情報記録部と、録画頻度の高い番組情報を記録する高頻度番組情報記録部と、を備えた表示装置であって、
前記録画制御部は、前記放送信号の録画が開示された際に、録画を開始した放送信号の番組情報と、前記番組情報記録部に記録されている番組情報とを比較し、所定の条件に従って前記番組情報が一致したものと判定したときに、前記録画を開始した放送信号の番組情報を前記高頻度番組情報記録部に記録し、
前記操作入力部に対する操作入力に従って、前記表示装置で表示している選局番組が変更されたときに、前記表示制御部は、選局後の番組の番組情報と、前記高頻度番組情報記録部に記録した番組情報とを比較し、所定の条件に従って前記番組情報が一致したと判定したときに、選局後の番組が、高頻度で録画が行われている番組であることを示す表示画面を前記表示部に表示させることを特徴とする表示装置。
【請求項２】
請求項１に記載の表示装置において、前記番組情報は、デジタル放送のサービス情報として提供される、番組タイトル情報、番組内容情報、ジャンル情報のいずれかまたは複数であることを特徴とする表示装置。
【請求項３】
請求項１に記載の表示装置において、前記番組情報は、前記表示装置と通信可能な記録媒体を再生して得られる、番組タイトル情報、番組内容情報、ジャンル情報のいずれかまたは複数であることを特徴とする表示装置。
【手続補正３】
【補正対象書類名】明細書
【補正対象項目名】０００１
【補正方法】変更
【補正の内容】
【０００１】
本発明は表示装置、より詳細には、放送信号を受信して表示するとともに、受信した放送信号を録画する機能を備えた表示装置に関する。
【手続補正４】
【補正対象書類名】明細書
【補正対象項目名】０００７
【補正方法】変更
【補正の内容】
【０００７】
本発明は、上述のごとき実情に鑑みてなされたもので、受信した放送信号を録画する機能を備えた表示装置において、従来よりも簡単な操作でユーザ所望の番組の録画もしくは予約を実行できるようにした表示装置を提供することを目的とするものである。
【手続補正５】
【補正対象書類名】明細書
【補正対象項目名】０００９
【補正方法】変更
【補正の内容】
【０００９】
上記課題を解決するために、本発明の第１の技術手段は、入力映像を表示する表示部と、表示部の表示を制御する表示制御部と、放送信号を受信する放送信号受信部と、放送信号受信部で受信した放送信号を録画する録画部と、録画部に対する放送信号の録画を制御する録画制御部と、ユーザによる操作入力を受け付ける操作入力部と、操作入力部に対する操作入力に従って放送信号の録画が開始された際に放送信号の番組情報を記録する番組情報記録部と、録画頻度の高い番組情報を記録する高頻度番組情報記録部と、を備えた表示装置であって、録画制御部は、放送信号の録画が開示された際に、録画を開始した放送信号の番組情報と、番組情報記録部に記録されている番組情報とを比較し、所定の条件に従って番組情報が一致したものと判定したときに、録画を開始した放送信号の番組情報を前記高頻度番組情報記録部に記録し、操作入力部に対する操作入力に従って、表示装置で表示している選局番組が変更されたときに、表示制御部は、選局後の番組の番組情報と、高頻度番組情報記録部に記録した番組情報とを比較し、所定の条件に従って番組情報が一致したと判定したときに、選局後の番組が、高頻度で録画が行われている番組であることを示す表示画面を表示部に表示させることを特徴としたものである。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２１
【補正方法】変更
【補正の内容】
【００２１】
本発明によれば、受信した放送信号を録画する機能を備えた表示装置において、従来よりも簡単な操作でユーザ所望の番組の録画もしくは予約を実行できるようにした表示装置を提供することができる。
【手続補正書】
【提出日】平成24年4月4日(2012.4.4)
【手続補正１】
【補正対象書類名】特許請求の範囲
【補正対象項目名】全文
【補正方法】変更
【補正の内容】
【特許請求の範囲】
【請求項１】
入力映像を表示する表示部と、該表示部の表示を制御する表示制御部と、放送信号を受信する放送信号受信部と、該放送信号受信部で受信した放送信号を録画する録画部と、該録画部に対する放送信号の録画を制御する録画制御部と、ユーザによる操作入力を受け付ける操作入力部と、前記操作入力部に対する操作入力に従って前記放送信号の録画が開始された際に該放送信号の番組情報を記録する番組情報記録部と、録画頻度の高い番組情報を記録する高頻度番組情報記録部と、を備えた表示装置であって、
前記録画制御部は、前記放送信号の録画が開始された際に、録画を開始した放送信号の番組情報と、前記番組情報記録部に記録されている番組情報とを比較し、所定の条件に従って前記番組情報が一致したものと判定したときに、前記録画を開始した放送信号の番組情報を前記高頻度番組情報記録部に記録し、
前記操作入力部に対する操作入力に従って、前記表示装置で表示している選局番組が変更されたときに、前記表示制御部は、選局後の番組の番組情報と、前記高頻度番組情報記録部に記録した番組情報とを比較し、所定の条件に従って前記番組情報が一致したと判定したときに、選局後の番組が、高頻度で録画が行われている番組であることを示す表示画面を前記表示部に表示させることを特徴とする表示装置。
【請求項２】
請求項１に記載の表示装置において、前記番組情報は、デジタル放送のサービス情報として提供される、番組タイトル情報、番組内容情報、ジャンル情報のいずれかまたは複数であることを特徴とする表示装置。
【請求項３】
請求項１に記載の表示装置において、前記番組情報は、前記表示装置と通信可能な記録媒体を再生して得られる、番組タイトル情報、番組内容情報、ジャンル情報のいずれかまたは複数であることを特徴とする表示装置。
【手続補正２】
【補正対象書類名】明細書
【補正対象項目名】０００９
【補正方法】変更
【補正の内容】
【０００９】
上記課題を解決するために、本発明の第１の技術手段は、入力映像を表示する表示部と、表示部の表示を制御する表示制御部と、放送信号を受信する放送信号受信部と、放送信号受信部で受信した放送信号を録画する録画部と、録画部に対する放送信号の録画を制御する録画制御部と、ユーザによる操作入力を受け付ける操作入力部と、操作入力部に対する操作入力に従って放送信号の録画が開始された際に放送信号の番組情報を記録する番組情報記録部と、録画頻度の高い番組情報を記録する高頻度番組情報記録部と、を備えた表示装置であって、録画制御部は、放送信号の録画が開始された際に、録画を開始した放送信号の番組情報と、番組情報記録部に記録されている番組情報とを比較し、所定の条件に従って番組情報が一致したものと判定したときに、録画を開始した放送信号の番組情報を高頻度番組情報記録部に記録し、操作入力部に対する操作入力に従って、表示装置で表示している選局番組が変更されたときに、表示制御部は、選局後の番組の番組情報と、高頻度番組情報記録部に記録した番組情報とを比較し、所定の条件に従って番組情報が一致したと判定したときに、選局後の番組が、高頻度で録画が行われている番組であることを示す表示画面を表示部に表示させることを特徴としたものである。
【国際調査報告】
2011004830.tif 000013
2011004830.tif 000014
2011004830.tif 000015
2011004830.tif 000016
2011004830.tif 000017
2011004830.tif 000018
2011004830.tif 000019
2011004830.tif 000020
2011004830.tif 000021
2011004830.tif 000022
2011004830.tif 000023